(57)【要約】【課題】  本考案は、多孔質素材により液体香料を保持し香りの持続性を考慮した徐放効果を持つアクセサリーを提供するものである。【解決手段】  多孔質セラミックスの気孔サイズを調節し、１カ所〜複数カ所の通気孔を持つアクセサリー本体に内蔵固定する。【選択図】  図１
0003101878.tif 000002
【実用新案登録請求の範囲】
【請求項１】
多孔質セラミックスを収納したアクセサリーであって、その本体に収納した多孔質セラミックスに液体香料を含浸させ、本体に設けた通気孔を通して香りを徐放することを特徴とするアクセサリー。
【請求項２】
収納する多孔質セラミックスの気孔径分布を０．１μm〜１０μmの範囲で調整し、その香りの徐放効果を長短に調節することを特徴とする香りを徐放するアクセサリー。
【請求項３】
液体香料を含浸し香りを徐放する多孔質セラミックスの収納にはアクセサリー本体の空洞部分に多孔質セラミックスを挿入し、その空洞部分との隙間にシリコンゴム、エポキシ樹脂、ウレタンゴム、フェノール樹脂、またはイソシアネート樹脂のいずれかを充填し、多孔質セラミックスを固定したことを特徴とする香りを徐放するアクセサリー。
【請求項４】
液体香料を含浸した多孔質セラミックスが入るアクセサリー本体との空洞部分を、多孔質セラミックスが転動可能な容積を残して封じ込め、本体の振動によって多孔質セラミックスの転動による鈴様の音を発することを特徴とする香りを徐放するアクセサリー。
【請求項５】
本体は、陶磁器をはじめガラス、琺瑯、金属、宝石等で構成される香りを徐放するアクセサリー。
【考案の詳細な説明】
【技術分野】
【０００１】
本考案は、香水やオーデコロンなどの液体香料を含ませて、その使用時に香りを放出する芳香性装身具に関する。
【背景技術】
【０００２】
装身具本体に液体香料を保持するための穿孔を施したり、本体に設けた空間に綿や多孔質の樹脂、金属を装着し、あるいは固形香料を直接装着することにより、その本体に設けた通気孔から香りを放出する方式の装身具が既に知られている（例えば、平４−２７８０７号及び実開平６−３３５１２号参照）。
【考案の開示】
【考案が解決しようとする課題】
【０００３】
しかしながら、従来の方式では本体に設けた穿孔や液体香料を含浸させる綿、多孔性樹脂、多孔性金属等はいずれもその気孔径が大きく、そのために香り成分の保持能力が弱く、従って香り徐放の持続力は数時間から数日程度に止まっており、実際の使用に当たっては、使用の都度液体香料を補給する必要があった。
【課題を解決するための手段】
【０００４】
本考案は、上記課題を解決するためになされたもので、アクセサリー本体に中空部分を設け、その中空部に液体香料の保持体となる多孔質セラミックスを収納している。ここでアクセサリー本体に収納される多孔質セラミックスは、開気孔率３０％〜６０％、気孔径０．１μm〜１０μmの微構造を有しており、従って液体香料を数日から数ヶ月に亘って長期間徐放する機能を有する。すなわち香り徐放用多孔質セラミックスの気孔径を大小に調整することに対応し、香りの持続時間を短長に、また香りの強さを強弱に変化させることができる。
【考案の効果】
【０００５】
以上、本考案による多孔質セラミックスを収納した香りを徐放するアクセサリーは、その内部に収納する多孔質セラミックスの気孔径を調節することにより香りの持続時間と強さを調整できる。さらに、多孔質セラミックスを本体内部に収納し、多孔質セラミックスが液体香料を含浸・保持することで液体香料の液漏れがなく肌や衣服に付着することもないため、敏感肌の使用者にとって安全であり、衣服の色彩に影響することもない。さらに、アクセサリー本体の材質が陶磁器やガラス、琺瑯、金属、水晶や剛玉などの宝石類のいずれを用いても香りの徐放効果は同様に得られる。また、多孔質セラッミクスの形状については、本体中空部分の形状により適宜加工することができる。
【実施例】
【０００６】
本考案による香を徐放するアクセサリー実施態様の一例を図１に示す。アクセサリー本体１はその中空部２と、この中空部から外部へと通じる通気孔３を有する。中空部に多孔質セラミックス４を挿入し中空部内壁との隙間にシリコン樹脂５を充填し多孔質セラミックスを固定した。さらに中空部を覆うように座金６をエポキシ樹脂で接着した。前記通気孔は、アクセサリー本体内部の多孔質セラミックスへ液体香料を注入し、かつ、香りを放出するのために設けている。
【０００７】
液体香料の注入は、図２に示すとおりスポイト６により通気孔３から数滴注入する。多孔質セラミックスの気孔径は前記のように極めて小さなものであるために、注入された液体香料は直ちにその内部に吸い込まれる。このとき、液体香料が本体中空部の気泡と置換できずに逆流するのを防ぐためさらにもう１つの通気孔７を設けることができる。ここで、通気孔３及び７の位置は液体香料の注入と、その後の香り徐放に差し支えない範囲において、アクセサリーの形状や外観に応じて適宜変えることができる。
【０００８】
本体中空部に収納する多孔質セラミックスによる香りの徐放期間は、平均気孔径１０μmのときに約１週間、１μmのときに約１ヶ月間、０．１μmのものでは約３ヶ月間におよび、気孔径を変化させることにより香りの徐放持続時間を調整することができる。一方、香りの強さは上記の序列と逆に気孔径が大きいほど強くなる。
【０００９】
図３、４、５、６は本考案によるカフス、ネクタイピン、ペンダント、バックルなどへの実施態様を示している。図４、５、６の様にアクセサリー本体に厚味が無い場合は、多孔質セラミックスを薄い板状に加工し収納することができる。
【００１０】
図７は、請求項４の鈴様の音を発することを特徴とする香りを徐放するアクセサリーの実施態様を示している。アクセサリー本体１は、多孔質セラミックス４が転動可能な中空部２を有し、この中空部に多孔質セラミックスを挿入して座金６にアクセサリー本体を接着固定する。使用に当たっては、液体香料を通気孔３から注入し多孔質セラミックスに吸収・保持させることで香りを徐放するとともに、本体の振動による多孔質セラミックスの転動で鈴様の音を発する。
【図面の簡単な説明】
【００１１】
【図１】本考案に係る香りを徐放するアクセサリーの断面図である。
【図２】本考案に係る液体香料の注入方法と２カ所の通気孔からなる断面図である。
【図３】本考案に係るカフスの断面図である。
【図４】本考案に係るネクタイピンの断面図である。
【図５】本考案に係るペンダントの断面図である。
【図６】本考案に係るバックルの断面図である。
【図７】本考案に係る鈴様製品の断面図である。
【符号の説明】
【００１２】
１・・・・アクセサリー本体
２・・・・中空部
３、７・・通気孔
４・・・・多孔質セラミックス
５・・・・シリコン樹脂
６・・・・アクセサリー座金
８・・・・スポイト
【図１】
0003101878.tif 000003
【図２】
0003101878.tif 000004
【図３】
0003101878.tif 000005
【図４】
0003101878.tif 000006
【図５】
0003101878.tif 000007
【図６】
0003101878.tif 000008
【図７】
0003101878.tif 000009
【手続補正書】
【提出日】平成16年1月9日(2004.1.9)
【手続補正１】
【補正対象書類名】実用新案登録請求の範囲
【補正対象項目名】請求項５
【補正方法】変更
【補正の内容】
【請求項５】
本体は、陶磁器をはじめガラス、琺瑯、金属、宝石等で構成されることを特徴とする請求項１乃至４のいずれかに記載のアクセサリー。